(57)【要約】【課題】簡単な構成で、かつ、電磁石の制御が簡単な携帯電子機器を提供すること。【解決手段】携帯電話機１は、閉状態の場合に、スピーカ用永久磁石４２の第１の磁束中心が閉方向電磁石２２の第２の磁束中心よりも開方向位置にオフセットした位置になるように配置され、開状態の場合に、スピーカ用永久磁石４２の第１の磁束中心が開方向電磁石２６の第２の磁束中心よりも閉方向位置にオフセットした位置になるように配置され、制御部５７は、閉状態の場合に、開閉スイッチ２０が操作された場合には、閉方向電磁石２２のみにバッテリ３２からの電力を供給し、開状態の場合に、開閉スイッチ２０が操作された場合には、開方向電磁石２６のみにバッテリ３２からの電力を供給して第１筐体２をスライドさせる。【選択図】図１０
2011114609.tif 000002
【特許請求の範囲】
【請求項１】
受話部及びスピーカを含む第１の筐体と、
前記第１の筐体を開方向にスライドして開状態、又は、閉方向にスライドして閉状態に変化可能に形成され、送話部を含む第２の筐体と、
前記第１の筐体又は前記第２の筐体に配設される操作部と、
前記第１の筐体又は前記第２の筐体に配設されるバッテリと、
前記第１の筐体又は前記第２の筐体に配設され、前記閉状態から前記開状態へ又は前記開状態から前記閉状態へのスライドを指示する開閉スイッチと、
前記スライドを制御する制御部と、を有し、
前記第１の筐体には、スピーカを構成する第１の磁石が配置され、
前記第２の筐体の第１筐体がスライドして閉状態となる閉方向側の位置には電磁石からなる第２の磁石が配置され、
前記第２の筐体の第１筐体がスライドして開状態となる開方向側の位置には電磁石からなる第３の磁石が配置され、
前記閉状態の場合に、
前記第１の磁石の第１の磁束中心が前記第２の磁石の第２の磁束中心よりも開方向位置にオフセットした位置になるように配置され、
前記開状態の場合に、
前記第１の磁石の第１の磁束中心が前記第３の磁石の第２の磁束中心よりも閉方向位置にオフセットした位置になるように配置され、
前記制御部は、
前記閉状態の場合に、前記開閉スイッチが操作された場合には、前記第２の磁石のみに前記バッテリからの電力を供給し、
前記開状態の場合に、前記開閉スイッチが操作された場合には、前記第３の磁石のみに前記バッテリからの電力を供給して
前記第１の筐体をスライドさせる
携帯電子機器。
【請求項２】
スライド省電力モードを備え、
前記スライド省電力モードは、
前記閉状態から前記開状態への開動作、又は、前記開状態から前記閉状態への閉動作、若しくは両方の動作を設定可能である
請求項１に記載の携帯電子機器。
【請求項３】
前記第２の磁石又は前記第３の磁石のコイルの抵抗値と、前記バッテリの内部抵抗とが一致している
請求項１又は２に記載の携帯電子機器。
【請求項４】
前記第２の磁石及び前記第３の磁石は、
軟鉄性の鉄心及びヨークを有する
請求項１〜３いずれか１項に記載の携帯電子機器。
【請求項５】
前記制御部は、
前記バッテリが所定量以下になった場合に、前記第２の磁石及び前記第３の磁石へ電力供給を行わない
請求項１〜４いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、２つ以上のコイルで構成され、コイルごとに磁極を変え、磁気的引力によりスライドするように構成したリニアモータが開示されている。
【先行技術文献】
【特許文献】
【０００３】
【特許文献１】特開２００３―３４８２０４号公報
【発明の概要】
【発明が解決しようとする課題】
【０００４】
しかしながら、特許文献１のように、スライド式携帯電話機をリニアモータで構成した場合、制御が複雑になり、かつ、部品点数が増加するという不利益があった。
【０００５】
本発明の目的は、簡単な構成で、かつ、電磁石の制御が簡単な携帯電子機器を提供することにある。
【課題を解決するための手段】
【０００６】
本発明の携帯電子機器は、受話部及びスピーカを含む第１の筐体と、前記第１の筐体を開方向にスライドして開状態、又は、閉方向にスライドして閉状態に変化可能に形成され、送話部を含む第２の筐体と、前記第１の筐体又は前記第２の筐体に配設される操作部と、前記第１の筐体又は前記第２の筐体に配設されるバッテリと、前記第１の筐体又は前記第２の筐体に配設され、前記閉状態から前記開状態へ又は前記開状態から前記閉状態へのスライドを指示する開閉スイッチと、前記スライドを制御する制御部と、を有し、前記第１の筐体には、スピーカを構成する第１の磁石が配置され、前記第２の筐体の第１筐体がスライドして閉状態となる閉方向側の位置には電磁石からなる第２の磁石が配置され、前記第２の筐体の第１筐体がスライドして開状態となる開方向側の位置には電磁石からなる第３の磁石が配置され、前記閉状態の場合に、前記第１の磁石の第１の磁束中心が前記第２の磁石の第２の磁束中心よりも開方向位置にオフセットした位置になるように配置され、前記開状態の場合に、前記第１の磁石の第１の磁束中心が前記第３の磁石の第２の磁束中心よりも閉方向位置にオフセットした位置になるように配置され、前記制御部は、前記閉状態の場合に、前記開閉スイッチが操作された場合には、前記第２の磁石のみに前記バッテリからの電力を供給し、前記開状態の場合に、前記開閉スイッチが操作された場合には、前記第３の磁石のみに前記バッテリからの電力を供給して前記第１の筐体をスライドさせる。
【０００７】
好適には、本発明の携帯電子機器は、スライド省電力モードを備え、前記スライド省電力モードは、前記閉状態から前記開状態への開動作、又は、前記開状態から前記閉状態への閉動作、若しくは両方の動作を設定可能である。
【０００８】
好適には、前記第２の磁石又は前記第３の磁石のコイルの抵抗値と、前記バッテリの内部抵抗とが一致している。
【０００９】
好適には、前記第２の磁石及び前記第３の磁石は、軟鉄性の鉄心及びヨークを有する。
【００１０】
好適には、前記制御部は、前記バッテリが所定量以下になった場合に、前記第２の磁石及び前記第３の磁石へ電力供給を行わない。
【発明の効果】
【００１１】
本発明によると、簡単な構成で、かつ、電磁石の制御が簡単な携帯電子機器を提供することができる。
【図面の簡単な説明】
【００１２】
【図１】本発明の実施形態に係る携帯電話機の外観を閉状態で示す斜視図である。
【図２】携帯電話機の外観を開状態で示す斜視図である。
【図３】閉状態における、表面方向の位置から見た携帯電話機の正面図及び断面図である。
【図４】図３（ａ）のＩＶ−ＩＶにおける断面図である。
【図５】第２筐体のみの正面図である。
【図６】開状態における、表面方向の位置から見た携帯電話機の正面図である。
【図７】図６のＶＩＩ−ＶＩＩにおける断面図である。
【図８】本発明の携帯電話機の信号処理系を示すブロック図である。
【図９】スライド省電力モードについて説明する説明図である。
【図１０】スピーカ、閉方向電磁石、開方向電磁石等の構成の説明図である。
【発明を実施するための形態】
【００１３】
図１は、本発明の実施形態に係る携帯電話機１の外観を閉状態で示す斜視図である。
【００１４】
携帯電話機１は、スライド式の携帯電話機１として構成されている。
つまり、第１筐体２を図１中の矢印の方向に移動させることによってスライドさせて開状態としている。
第１筐体２と第２筐体３は、図１の矢印の方向に相対移動することは可能であるが、その他の方向に相対運動させることはできない。
つまり、一方方向にのみ第１筐体２と第２筐体３とは摺動しつつ往復運動のみが可能である。
なお、第１筐体２と第２筐体３とをスライドさせる機構は、例えば、直動ベアリング等による。
第１筐体２及び第２筐体３は直方体形状を有している。また、第１筐体２と第２筐体３とが接合する面が縦横の長さが長く、その他の面の幅は狭く構成されている。つまり、高さの低い四角柱形状となっている。
さらに、図１のように、第１筐体２及び第２筐体３の縦横の比率は縦の方が２倍程度で形成されている。
また、図１の矢印方向を開方向といい、逆の方向を閉方向という。
また、第１筐体２を開方向にスライドさせた状態を開状態といい、第１筐体２を閉方向にスライドさせた状態を閉状態という。
【００１５】
また、第１筐体２の側部の閉方向の位置には、図示していないスピーカ２４の音を第１筐体２の外部に出力するためのスピーカ用穴部２１が設けられている。
なお、必ずしも、この位置にスピーカ用穴部２１が設けられている必要はない。
【００１６】
第２筐体３の側部の開方向の位置には、自動的に第１筐体２を閉方向又は開方向にスライドさせるための開閉スイッチ２０が配置されている。
この開閉スイッチ２０を押すことによって、開状態であれば閉状態になり、閉状態であれば開状態となる。
【００１７】
図２は、携帯電話機１の外観を開状態で示す斜視図である。
【００１８】
図２のように、第１筐体２をスライドさせると、第１筐体２の下部分と第２筐体３の上部分のみが密接した状態になる。
図２のように、第１筐体２の表面部分（第２筐体３と接合している側とは反対の面）には表示部８が配置されている。
この表示部８が配置されている第１筐体２の面を第１筐体表面１７といい、反対側の第１筐体２の面を第１筐体裏面１８という。
また、第１筐体２をスライドして開状態にする方向側の面を第１筐体上側面１６といい、その反対側を第１筐体下側面１５という。
【００１９】
図２のように、第２筐体３の表面部分（第１筐体２と接合している側の面）には入力部１０が配置されている。
この入力部１０が配置されている第２筐体３の面を第２筐体表面１３といい、反対側の第２筐体３の面を第２筐体裏面１４という。
また、第１筐体２をスライドして開状態にする方向側の面を第２筐体上側面１１といい、その反対側を第２筐体下側面１２という。
【００２０】
第１筐体２の第１筐体裏面１８と第２筐体３の第２筐体表面１３とが接している。閉状態においては、第１筐体裏面１８と第２筐体表面１３とは、面全体が対向状態となっており、携帯電話機１の外部からこの面を確認することはできない。
開状態においては、第１筐体裏面１８の第１筐体下側面１５側の一部の面と、第２筐体表面１３の第２筐体上側面１１側の一部の面とが対向状態である。その結果、第１筐体裏面１８と第２筐体表面１３とが対向していない部分の面は、ユーザが確認及び操作することができる。
この開状態とした時に外部に現れる第２筐体表面１３に入力部１０が配置されている。
【００２１】
表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２２】
この入力部１０は、キー等で構成されており、このキー等をユーザが操作することによって、携帯電話機１に命令の入力、文字の入力等がなされる。
【００２３】
第１筐体２の第１筐体表面１７の開方向位置には受話部３０が配置されている。
第２筐体３の第２筐体表面１３の閉方向位置には送話部２８が配置されている。
【００２４】
なお、方向を示すときは、第２筐体３から第１筐体２の方向を表面方向又は第１筐体の位置する方向という。また、表面方向の逆を裏面方向という。
【００２５】
図３（ａ）は、閉状態における、表面方向の位置から見た携帯電話機１の正面図である。
【００２６】
図３（ａ）のように、第１筐体２の閉方向の位置には、スピーカ２４が配置されている。
スピーカ２４は、２個配置されており、第１筐体２の左側に左側スピーカ２４ａ、第１筐体２の右側に右側スピーカ２４ｂが配置されている。
また、スピーカ２４が配置されているのと、ほぼ同一の位置の第２筐体３に閉方向電磁石２２が配置されている。
つまり、左側スピーカ２４ａの位置に左側閉方向電磁石２２ａが、右側スピーカ２４ｂの位置に右側閉方向電磁石２２ｂが配置されている。
もっとも、左側スピーカ２４ａと左側閉方向電磁石２２ａとの位置関係、及び、右側スピーカ２４ｂと右側閉方向電磁石２２ｂとの位置関係は、後述するようにオフセットされている（図４及び図７参照のこと）。
図３（ｂ）は、図３（ａ）のｂ−ｂにおける断面図である。
【００２７】
図３（ｂ）のように、左側スピーカ２４ａの位置に左側閉方向電磁石２２ａが、右側スピーカ２４ｂの位置に右側閉方向電磁石２２ｂが配置されている。
【００２８】
図４は、図３（ａ）のＩＶ−ＩＶにおける断面図である。
【００２９】
図４のように、右側スピーカ２４ｂは右側閉方向電磁石２２ｂに比べて、開方向の位置にオフセットされて配置されている。
つまり、右側スピーカ２４ｂのスピーカ用永久磁石４２の磁束中心が右側閉方向電磁石２２ｂの閉方向コイル４０の磁束中心よりも開方向位置にオフセットした位置になっている（図９参照のこと）。
なお、図４のように、第２筐体３の開方向の位置には右側開方向電磁石２６ｂが配置されている。
さらになお、左側スピーカ２４ａと左側閉方向電磁石２２ａとの位置関係は、右側スピーカ２４ｂと右側閉方向電磁石２２ｂとの位置関係と同一である。
【００３０】
以上のように、右側スピーカ２４ｂは右側閉方向電磁石２２ｂに比べて、開方向の位置にオフセットされて配置されていることから、右側閉方向電磁石２２ｂに電流を供給してスピーカ用永久磁石４２と反発力を生じさせると、自動的に第１筐体２が開方向にスライドする。
【００３１】
図５は、第２筐体３のみの正面図である。
【００３２】
図５のように、第２筐体の短手方向における中心線の開方向寄りの位置には、開方向電磁石２６が配置されている。
【００３３】
図６は、開状態における、表面方向の位置から見た携帯電話機１の正面図である。
【００３４】
図６のように、スピーカ２４は開状態においては開方向電磁石２６とほぼ同一の位置に位置する。
【００３５】
図７は、図６のＶＩＩ−ＶＩＩにおける断面図である。
【００３６】
図７のように、開状態においても、右側スピーカ２４ｂは右側開方向電磁石２６ｂに比べて、閉方向の位置にオフセットされて配置されている。
つまり、右側スピーカ２４ｂのスピーカ用永久磁石４２の磁束中心が右側開方向電磁石２６ｂの開方向コイル５０の磁束中心よりも開方向位置にオフセットした位置になっている（。図９参照のこと）
さらになお、左側スピーカ２４ａと左側開方向電磁石２６ａとの位置関係は、右側スピーカ２４ｂと右側開方向電磁石２６ｂとの位置関係と同一である。
【００３７】
以上のように、右側スピーカ２４ｂは右側開方向電磁石２６ｂに比べて、閉方向の位置にオフセットされて配置されていることから、右側開方向電磁石２６ｂに電流を供給してスピーカ用永久磁石４２と反発力を生じさせると、自動的に閉方向に第１筐体２がスライドする。
【００３８】
図８は、本発明の携帯電話機１の信号処理系を示すブロック図である。
【００３９】
図８に示されるように、携帯電話機１は、制御・処理の中枢である制御部５７と、電源制御部５９と、通信部５１と、操作部５２と、音声入出力部５３と、表示部８と、記憶部５６のそれぞれが、アドレス、データ、コントロールのためのラインが複数本からなるシステムバス５８に共通に接続され、構成される。
【００４０】
電源制御部５９は、携帯電話機１が携帯して使用されている場合には、携帯電話機１内の、表示部８及び制御部５７等が実装される回路基板等への電力の供給を制御している。
また、充電時には充電回路を制御して、バッテリ３２への充電開始及び停止、並びに充電の速度等を制御している。
本実施形態では、電源制御部５９は、バッテリ３２から閉方向電磁石２２及び開方向電磁石２６への電力供給を制御している。
つまり、制御部５７は、開閉スイッチ２０の入力に基づいて、電源制御部５９に対して電流の供給の有無、及び、供給電流の向きを指示する。
そして、電源制御部５９は、制御部５７の指示に基づき、閉方向電磁石２２及び開方向電磁石２６へ電力供給を行う。
【００４１】
通信部５１は、無線通信システムを捕捉し、通信ネットワークに接続される基地局３００との間で無線通信を行い、各種データの送受信を行う。各種データとは、Ｗｅｂ上のダウンロードサイトからダウンロードされるファイルのデータ、音声通話時の音声データ、メール送受信時のメールデータ、ウェブ閲覧時のウェブページデータ、等である。
【００４２】
操作部５２は、入力部１０その他の部分から入力されるユーザの指示を受け付ける。
入力部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部５７に出力する。
本実施形態では、操作部５２は、開閉スイッチ２０が押されたか否かを制御部５７に出力する役割を有している。
【００４３】
音声入出力部５３は、受話部３０及びスピーカ２４（左側スピーカ２４ａ、右側スピーカ２４ｂ）から出力される音声信号や送話部２８において入力される音声信号の入出力処理を行う。
すなわち、音声入出力部５３は、送話部２８から入力された音声を増幅し、アナログ／デジタル変換を行い、更に符号化等の信号処理を施し、デジタルの音声データに変換して制御部５７に出力する。
また、音声入出力部５３は、制御部５７から供給される音声データに復号化、デジタル／アナログ変換、増幅等の信号処理を施し、アナログの音声信号に変換して受話部３０及びスピーカ２４に出力する。
なお、スピーカ２４は、送話用以外の着信音の出力、音楽の再生音の出力等を行う。
【００４４】
表示部８は、例えばＬＣＤやＯＬＥＤを用いて構成されており、制御部５７から供給される映像信号に応じた画像を表示する。
【００４５】
記憶部５６では、携帯電話機１の各種処理に利用される各種データを記憶する。記憶部５６は、例えば制御部５７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
【００４６】
制御部５７は、携帯電話機１の全体的な動作を統括的に制御する。
すなわち、制御部５７は、携帯電話機１の各種処理（回線交換網を介して行われる音声通話、電子メールの作成と送受信、インターネットのＷｅｂ上のダウンロードサイトの閲覧など）が操作部５２の操作に応じて適切な手順で実行されるように、上述した各ブロックの動作（通信部５１における信号の送受信、表示部８における画像の表示等）を制御する。
さらに、制御部５７は、記憶部５６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部５７は、記憶部５６に格納されるオペレーティングシステムやアプリケーションプログラム等のプログラムから命令コードを順次受け取って処理を実行する。
本実施形態では特に、制御部５７は、開閉スイッチ２０の入力に基づいて、電源制御部５９に対して電流の供給の有無、及び、供給電流の向きを指示する。
【００４７】
図９は、スライド省電力モードについて説明する説明図である。
【００４８】
図９のように、通常は通常モードＭ０１となっているが、スライド省電力モードＭ０２とすることも可能である。
そして、ユーザはスライド省電力モードにおいて、開状態から閉状態にスライドしないようにするように設定することも可能である。
また、ユーザは、閉状態から開状態にスライドしないようにするように設定することも可能である。
さらに、開状態から閉状態及び閉状態から開状態へのスライドの両方を行わないように設定することも可能である。
このように設定したことによって、よりバッテリ３２の消費を低減することができる。
【００４９】
図１０は、スピーカ２４、閉方向電磁石２２、開方向電磁石２６等の構成の説明図である。
【００５０】
スピーカ２４は、スピーカ用永久磁石４２と、このスピーカ用永久磁石４２の磁束を出す方向を除いて覆うスピーカ用ヨーク４４を有する。
スピーカ用永久磁石４２の磁束を出す方向とは、裏面方向、つまり第２筐体３の方向である。
なお、スピーカ２４は他にも、電磁石等からも構成されているが、本実施形態においてはそれらの部材は重要ではないから省略している。
【００５１】
また、閉方向電磁石２２は、閉方向鉄心３８、閉方向コイル４０及び閉方向ヨーク３６から構成されている。
閉方向コイル４０は、閉方向鉄心３８を中心にして巻かれている。
また、閉方向ヨーク３６は、閉方向鉄心３８及び閉方向コイル４０の磁束を出す方向を除いて閉方向鉄心３８及び閉方向コイル４０を覆っている。
閉方向鉄心３８及び閉方向コイル４０の磁束を出す方向とは、表面方向、つまり第１筐体２の方向である。
なお、閉方向鉄心３８は軟鉄によって構成するのが好適である。
スピーカ２４は閉方向電磁石２２に比べて、開方向の位置にオフセットされて配置されている。
これによって、閉方向電磁石２２に電流を供給してスピーカ用永久磁石４２と反発力を生じさせると、自動的に第１筐体２が開方向にスライドする。
【００５２】
さらに、開方向電磁石２６は、開方向鉄心４８、開方向コイル５０及び開方向ヨーク４６から構成されている。
開方向コイル５０は、開方向鉄心４８を中心にして巻かれている。
また、開方向ヨーク４６は、開方向鉄心４８及び開方向コイル５０の磁束を出す方向を除いて開方向鉄心４８及び開方向コイル５０を覆っている。
開方向鉄心４８及び開方向コイル５０の磁束を出す方向とは、表面方向、つまり第１筐体２の方向である。
なお、開方向鉄心４８は軟鉄によって構成するのが好適である。
スピーカ２４は開方向電磁石２６に比べて、閉方向の位置にオフセットされて配置されている。
これによって、開方向電磁石２６に電流を供給してスピーカ用永久磁石４２と反発力を生じさせると、自動的に第１筐体２が閉方向にスライドする。
【００５３】
電源制御部５９は、開方向電磁石２６及び閉方向電磁石２２へのバッテリ３２からの電流を制御している。
なお、バッテリ３２には内部抵抗３２ａを有している。
ここで、開方向電磁石２６及び閉方向電磁石２２の抵抗値と内部抵抗３２ａの抵抗値を一致するように構成することが好適である。
このように構成したことによって、バッテリ３２の電力をより有効に使用することができる。
【００５４】
また、制御部５７は、バッテリ３２が所定値以下になった場合には、開方向電磁石２６及び閉方向電磁石２２への電源供給を行わないように制御するのが好適である。
このように構成したことによって、バッテリ３２の電力を消費しないで、より有効に使用することができる。
【００５５】
以上の実施形態によれば、携帯電話機１は、受話部３０及びスピーカ２４を含む第１筐体２と、第１筐体２を開方向にスライドして開状態、又は、閉方向にスライドして閉状態に変化可能に形成され、送話部２８を含む第２筐体３と、を有している。
また、携帯電話機１は、第１筐体２又は第２筐体３に配設される操作部５２を有している。
さらに、携帯電話機１は、第１筐体２又は第２筐体３に配設されるバッテリ３２と、第１筐体２又は第２筐体３に配設され、閉状態から開状態へ又は開状態から閉状態へのスライドを指示する開閉スイッチ２０とを有している。
加えて、携帯電話機１は、スライドを制御する制御部５７を有している。
そして、第１筐体２には、スピーカ２４を構成するスピーカ用永久磁石４２が配置され、第２筐体３の第１筐体３がスライドして閉状態となる閉方向側の位置には電磁石からなる閉方向電磁石２２が配置され、第２筐体３の第１筐体３がスライドして開状態となる開方向側の位置上方エリアには電磁石からなる開方向電磁石２６が配置されている。
また、閉状態の場合に、スピーカ用永久磁石４２の第１の磁束中心が閉方向電磁石２２の第２の磁束中心よりも開方向位置にオフセットした位置になるように配置されている。
そして、開状態の場合に、スピーカ用永久磁石４２の第１の磁束中心が開方向電磁石２６の第２の磁束中心よりも閉方向位置にオフセットした位置になるように配置されている。
その上で、制御部５７は、閉状態の場合に、開閉スイッチ２０が操作された場合には、閉方向電磁石２２のみにバッテリ３２からの電力を供給し、開状態の場合に、開閉スイッチ２０が操作された場合には、開方向電磁石２６のみにバッテリ３２からの電力を供給して第１筐体２をスライドさせる。
このように構成したことによって、簡単な構成で、かつ、電磁石の制御が簡単な携帯電子機器を提供することができる。
さらに、スピーカ２４のスピーカ用永久磁石４２をスライド構造のための磁石と併用することができ部品点数を削減できる。
【００５６】
携帯電話機１は、スライド省電力モードＭ０２を備え、スライド省電力モードＭ０２は、閉状態から開状態への開動作、又は、開状態から閉状態への閉動作、若しくは両方の動作を設定可能である。
このように設定したことによって、よりバッテリ３２の消費を低減することができる。
【００５７】
閉方向電磁石２２又は開方向電磁石２６の閉方向コイル４０又は開方向コイル５０の抵抗値と、バッテリ３２の内部抵抗とが一致している。
このように構成したことによって、バッテリ３２の電力をより有効に使用することができる。
【００５８】
閉方向電磁石２２及び開方向電磁石２６は、軟鉄性の鉄心及びヨークを有する。
このように構成したことによって、磁力をより有効に活用することができる。
【００５９】
制御部５７は、バッテリ３２が所定量以下になった場合に、閉方向電磁石２２及び開方向電磁石２６へ電力供給を行わない。
このように構成したことによって、バッテリ３２の電力を消費しないで、より有効に使用することができる。
【００６０】
本発明は、以上の実施形態に限定されず、種々の態様で実施されてよい。
【００６１】
携帯電子機器は、携帯電話機１に限定されない。例えば、携帯電子機器は、ノートパソコン、ＰＤＡ、ゲーム機、カメラであってもよい。
【符号の説明】
【００６２】
１…携帯電話機、２…第１筐体（第１の筐体）、３…第２筐体（第２の筐体）、８…表示部、１０…入力部、１１…第２筐体上側面、１２…第２筐体下側面、１３…第２筐体表面、１４…第２筐体裏面、１５…第１筐体下側面、１６…第１筐体上側面、１７…第１筐体表面、１８…第１筐体裏面、２０…開閉スイッチ、２１…スピーカ用穴部、２２…閉方向電磁石（第２の磁石）、２２ａ…左側閉方向電磁石、２２ｂ…右側閉方向電磁石、２４…スピーカ、２４ａ…左側スピーカ、２４ｂ…右側スピーカ、２６…開方向電磁石（第３の磁石）、２６ａ…左側開方向電磁石、２６ｂ…右側開方向電磁石、２８…送話部、３０…受話部、３２…バッテリ、３２ａ…内部抵抗、３６…閉方向ヨーク、３８…閉方向鉄心、４０…閉方向コイル、４２…スピーカ用永久磁石（第１の磁石）、４４…スピーカ用ヨーク、４６…開方向ヨーク、４８…開方向鉄心、５０…開方向コイル、５１…通信部、５２…操作部、５３…音声入出力部、５５…撮像部、５６…記憶部、５７…制御部、５８…システムバス、５９…電源制御部
【図１】
2011114609.tif 000003
【図２】
2011114609.tif 000004
【図３】
2011114609.tif 000005
【図４】
2011114609.tif 000006
【図５】
2011114609.tif 000007
【図６】
2011114609.tif 000008
【図７】
2011114609.tif 000009
【図８】
2011114609.tif 000010
【図９】
2011114609.tif 000011
【図１０】
2011114609.tif 000012